【手続補正書】
【提出日】平成19年2月9日(2007.2.9)
【手続補正１】
【補正対象書類名】明細書
【補正対象項目名】特許請求の範囲
【補正方法】変更
【補正の内容】
【特許請求の範囲】
【請求項１】
再生されたデジタルデータ列を処理する画像処理装置であって、
前記再生されたデジタルデータ列により表わされる画像に特定の字幕に係る属性を有するオブジェクトが含まれるか否かを判定する判定手段と、
前記オブジェクトの再生形態を指定する指定手段と、
前記判定手段により前記特定の字幕に係る属性を有するオブジェクトが含まれると判定されると、前記オブジェクトの再生形態を前記指定手段により指定された再生形態にする画像処理手段と、
を有することを特徴とする画像処理装置。
【請求項２】
前記画像処理手段は、前記オブジェクトを非表示にすることを特徴とする請求項１に記載の画像処理装置。
【請求項３】
前記画像処理手段は、前記オブジェクトを、当該オブジェクトに対応するアイコンに置き換えることを特徴とする請求項１に記載の画像処理装置。
【請求項４】
ユーザからの指示を入力する指示入力手段を更に有し、
前記画像処理手段は、前記指示入力手段によって前記アイコンが指定されたことに応じて、前記オブジェクトを出力することを特徴とする請求項３に記載の画像処理装置。
【請求項５】
キャラクタ発生手段を更に有し、
前記画像処理手段は、前記オブジェクトと、前記キャラクタ発生手段により発生された、前記デジタルデータ列が記録された時の時刻情報を示すキャラクタとを出力することを特徴とする請求項１に記載の画像処理装置。
【請求項６】
音声発生手段を更に有し、
前記画像処理手段によって前記オブジェクトの再生形態を変更した際に、前記音声発生手段は警告音を出力することを特徴とする請求項１乃至５のいずれか１項に記載の画像処理装置。
【請求項７】
前記判定手段は、前記デジタルデータ列に多重化された、各オブジェクトの詳細を示すオブジェクト情報に基づいて前記判定を行うことを特徴とする請求項１乃至６のいずれか１項に記載の画像処理装置。
【請求項８】
複数種類のデータが多重化された状態のデジタルデータ列を再生処理する画像処理装置であって、
前記デジタルデータ列に特定の字幕に係る表示データが含まれるか否かを判定する判定手段と、
前記デジタルデータ列から各データを分離する分離手段と、
前記判定手段により前記特定の字幕に係る表示データが含まれると判定されると、前記分離手段により分離された各データのうち、前記特定の字幕に係る表示データにより表わされる表示情報の形態を変化させて再生する再生処理手段と、
を有することを特徴とする画像処理装置。
【請求項９】
複数種類のデータが多重化された状態のデジタルデータ列を再生処理する画像処理装置であって、
前記デジタルデータ列に緊急ニュースに係る表示データが含まれるか否かを判定する判定手段と、
前記デジタルデータ列から各データを分離する分離手段と、
前記判定手段により前記緊急ニュースに係る表示データが含まれると判定されると、前記分離手段により分離された各データのうち、前記緊急ニュースに係る表示データにより表わされる表示情報の形態を変化させて再生する再生処理手段と、
を有することを特徴とする画像処理装置。
【請求項１０】
複数種類のデータが多重化された状態のデジタルデータ列を再生処理する画像処理装置であって、
前記デジタルデータ列に速報的に付加された表示データが含まれるか否かを判定する判定手段と、
前記デジタルデータ列から各データを分離する分離手段と、
前記判定手段により前記速報的に付加された表示データが含まれると判定されると、前記分離手段により分離された各データのうち、前記速報的に付加された表示データにより表わされる表示情報の形態を変化させて再生する再生処理手段と、
を有することを特徴とする画像処理装置。
【請求項１１】
再生されたデジタルデータ列を処理する画像処理方法であって、
前記再生されたデジタルデータ列により表わされる画像に特定の字幕に係る属性を有するオブジェクトが含まれるか否かを判定する判定工程と、
前記オブジェクトの再生形態を指定する指定工程と、
前記判定工程で前記特定の字幕に係る属性を有するオブジェクトが含まれると判定されると、前記オブジェクトの再生形態を前記指定工程で指定された再生形態にする画像処理工程と、
を有することを特徴とする画像処理方法。
【請求項１２】
複数種類のデータが多重化された状態のデジタルデータ列を再生処理する再生方法であって、
前記デジタルデータ列に特定の字幕に係る表示データが含まれるか否かを判定する判定工程と、
前記デジタルデータ列から各データを分離する分離工程と、
前記判定工程で前記特定の字幕に係る表示データが含まれると判定されると、前記分離された各データのうち、前記特定の字幕に係る表示データにより表わされる表示情報の形態を変化させて再生する再生処理工程と、
を有することを特徴とする再生方法。
【請求項１３】
複数種類のデータが多重化された状態のデジタルデータ列を再生処理する再生方法であって、
前記デジタルデータ列に緊急ニュースに係る表示データが含まれるか否かを判定する判定工程と、
前記デジタルデータ列から各データを分離する分離工程と、
前記判定工程で前記緊急ニュースに係る表示データが含まれると判定されると、前記分離された各データのうち、前記緊急ニュースに係る表示データにより表わされる表示情報の形態を変化させて再生する再生処理工程と、
を有することを特徴とする再生方法。
【請求項１４】
複数種類のデータが多重化された状態のデジタルデータ列を再生処理する再生方法であって、
前記デジタルデータ列に速報的に付加された表示データが含まれるか否かを判定する判定工程と、
前記デジタルデータ列から各データを分離する分離工程と、
前記判定工程で前記速報的に付加された表示データが含まれると判定されると、前記分離された各データのうち、前記速報的に付加された表示データにより表わされる表示情報の形態を変化させて再生する再生処理工程と、
を有することを特徴とする再生方法。
【請求項１５】
デジタルデータ列の再生処理をコンピュータに実行させるためのプログラムであって、
前記再生されたデジタルデータ列により表わされる画像に特定の字幕に係る属性を有するオブジェクトが含まれるか否かを判定する判定工程と、
前記オブジェクトの再生形態を指定する指定工程と、
前記判定工程で前記特定の字幕に係る属性を有するオブジェクトが含まれると判定されると、前記オブジェクトの再生形態を前記指定工程で指定された再生形態にする画像処理工程と、
をコンピュータに実行させることを特徴とするプログラム。
【請求項１６】
複数種類のデータが多重化された状態のデジタルデータ列の再生処理をコンピュータに実行させるためのプログラムであって、
前記デジタルデータ列に特定の字幕に係る表示データが含まれるか否かを判定する判定工程と、
前記デジタルデータ列から各データを分離する分離工程と、
前記判定工程で前記特定の字幕に係る表示データが含まれると判定されると、前記分離された各データのうち、前記特定の字幕に係る表示データにより表わされる表示情報の形態を変化させて再生する再生処理工程と、
をコンピュータに実行させることを特徴とするプログラム。
【請求項１７】
複数種類のデータが多重化された状態のデジタルデータ列の再生処理をコンピュータに実行させるためのプログラムであって、
前記デジタルデータ列に緊急ニュースに係る表示データが含まれるか否かを判定する判定工程と、
前記デジタルデータ列から各データを分離する分離工程と、
前記判定工程で前記緊急ニュースに係る表示データが含まれると判定されると、前記分離された各データのうち、前記緊急ニュースに係る表示データにより表わされる表示情報の形態を変化させて再生する再生処理工程と、
をコンピュータに実行させることを特徴とするプログラム。
【請求項１８】
複数種類のデータが多重化された状態のデジタルデータ列の再生処理をコンピュータに実行させるためのプログラムであって、
前記デジタルデータ列に速報的に付加された表示データが含まれるか否かを判定する判定工程と、
前記デジタルデータ列から各データを分離する分離工程と、
前記判定工程で前記速報的に付加された表示データが含まれると判定されると、前記分離された各データのうち、前記速報的に付加された表示データにより表わされる表示情報の形態を変化させて再生する再生処理工程と、
をコンピュータに実行させることを特徴とするプログラム。
【請求項１９】
請求項１５乃至１８のいずれか１項に記載のプログラムを記憶したことを特徴とするコンピュータ読み取り可能な記憶媒体。
【手続補正２】
【補正対象書類名】明細書
【補正対象項目名】００１１
【補正方法】変更
【補正の内容】
【００１１】
【課題を解決するための手段】
上記目的を達成するために本発明の画像処理装置は以下のような構成を備える。即ち、
再生されたデジタルデータ列を処理する画像処理装置であって、
前記再生されたデジタルデータ列により表わされる画像に特定の字幕に係る属性を有するオブジェクトが含まれるか否かを判定する判定手段と、
前記オブジェクトの再生形態を指定する指定手段と、
前記判定手段により前記特定の字幕に係る属性を有するオブジェクトが含まれると判定されると、前記オブジェクトの再生形態を前記指定手段により指定された再生形態にする画像処理手段と、
を有することを特徴とする。
【手続補正３】
【補正対象書類名】明細書
【補正対象項目名】００１２
【補正方法】変更
【補正の内容】
【００１２】
上記目的を達成するために本発明の画像処理方法は以下のような工程を備える。即ち、
再生されたデジタルデータ列を処理する画像処理方法であって、
前記再生されたデジタルデータ列により表わされる画像に特定の字幕に係る属性を有するオブジェクトが含まれるか否かを判定する判定工程と、
前記オブジェクトの再生形態を指定する指定工程と、
前記判定工程で前記特定の字幕に係る属性を有するオブジェクトが含まれると判定されると、前記オブジェクトの再生形態を前記指定工程で指定された再生形態にする画像処理工程と、
を有することを特徴とする。